(57)【要約】【課題】ＬＥＤモジュールを構成するＬＥＤの輝度バラつきを低減し、且つＬＥＤの異常な発熱を抑制して、安全性の低下および短寿命化を防止することができるＬＥＤモジュールおよび、これを用いた照明器具を提供する。【解決手段】直列接続された複数のＬＥＤ３からなるＬＥＤ直列回路３２を複数有し、３つのＬＥＤ直列回路３２が並列接続されたＬＥＤ並列回路３１を備えるＬＥＤモジュール１であって、ＬＥＤ３の順方向電圧毎に、ＬＥＤ３を分類したグループＧ１，Ｇ２が形成され、ＬＥＤ直列回路３２は、グループＧ１，Ｇ２の各々から選択された１つのＬＥＤ３ａ，３ｂが直列接続されることで構成される。【選択図】図１
2014182960.tif 000002
【特許請求の範囲】
【請求項１】
直列接続された複数のＬＥＤからなるＬＥＤ直列回路を複数有し、複数の前記ＬＥＤ直列回路が並列接続されたＬＥＤ並列回路を備えるＬＥＤモジュールであって、
前記ＬＥＤの順方向電圧の範囲毎に、前記ＬＥＤを分類した複数のグループが形成され、
前記ＬＥＤ直列回路は、前記複数のグループの各々から選択された１つの前記ＬＥＤが直列接続されることで構成されることを特徴とするＬＥＤモジュール。
【請求項２】
並列接続された前記ＬＥＤ直列回路間において、前記ＬＥＤ直列回路の各々を構成する前記ＬＥＤの順方向電圧の合計値の差が、閾値以下であることを特徴とする請求項１記載のＬＥＤモジュール。
【請求項３】
前記ＬＥＤ直列回路を構成する前記ＬＥＤが実装され、前記ＬＥＤ直列回路を構成する前記ＬＥＤ間を電気的に接続する導体を有する実装基板を備え、
前記ＬＥＤは、一方向に対向するアノード端子とカソード端子とを有し、
前記ＬＥＤ直列回路を構成する前記ＬＥＤは、前記一方向に対して直交する他方向に並んで実装され、
前記ＬＥＤ直列回路を構成する前記ＬＥＤ間を電気的に接続する前記導体は、一方の前記ＬＥＤの前記アノード端子が実装される第１の実装部と、他方の前記ＬＥＤの前記カソード端子が実装される第２の実装部との各々が、前記導体における前記他方向の両端から離間した位置に形成されることを特徴とする請求項１または２記載のＬＥＤモジュール。
【請求項４】
前記ＬＥＤ直列回路を構成する前記ＬＥＤが実装され、前記ＬＥＤ直列回路を構成する前記ＬＥＤ間を電気的に接続する導体を有する実装基板を備え、
前記ＬＥＤは、一方向に対向するアノード端子とカソード端子とを有し、
前記ＬＥＤ直列回路を構成する前記ＬＥＤは、前記一方向または前記一方向に直交する他方向に並んで実装され、
前記ＬＥＤ直列回路を構成する前記ＬＥＤ間を電気的に接続する前記導体は、一方の前記ＬＥＤの前記アノード端子が実装される第１の実装部と、他方の前記ＬＥＤの前記カソード端子が実装される第２の実装部とが、前記ＬＥＤ直列回路を構成する前記ＬＥＤの実装方向において離間した位置に形成されることを特徴とする請求項１乃至３のうちいずれか１項に記載のＬＥＤモジュール。
【請求項５】
請求項１乃至４のうち、いずれか１項に記載のＬＥＤモジュールと、
前記ＬＥＤモジュールが取り付けられる器具本体とを備えることを特徴とする照明器具。
【発明の詳細な説明】
【技術分野】
【０００１】
本発明は、ＬＥＤモジュールおよび、これを用いた照明器具に関するものである。
【背景技術】
【０００２】
従来、複数のＬＥＤが実装基板に実装されることで構成されるＬＥＤモジュールがある。一般的に、ＬＥＤは、電気特性（順方向電圧）や光学特性（色度特性・光束特性）にバラツキが発生しやすい。そのため、ＬＥＤは、ＬＥＤの製造業者によってビニングされ、電気特性・光学特性の範囲毎に分類したグループ（リール）にまとめられる。しかし、１つのグループに属するＬＥＤのみを用いてＬＥＤモジュールを構成した場合、例えば、このＬＥＤモジュールを構成するＬＥＤの色度が、目標色度に対してずれているおそれがある。そこで、複数のグループからＬＥＤを選択して、ＬＥＤモジュールを構成し、各ＬＥＤの照射光の合成光が目標色度となるように調整する方法がある（例えば、特許文献１参照）。
【先行技術文献】
【特許文献】
【０００３】
【特許文献１】特許第４８８４５６６号
【発明の概要】
【発明が解決しようとする課題】
【０００４】
例えば、ＬＥＤモジュールの回路構成を、第１のグループに属する複数のＬＥＤからなる第１のＬＥＤ直列回路と、第２のグループに属する複数のＬＥＤからなる第２のＬＥＤ直列回路とを並列接続した構成とする。しかし、第１のグループと第２のグループとで順方向電圧特性が異なる。したがって、順方向電圧が低いＬＥＤ直列回路には、順方向電圧が高いＬＥＤ直列回路に対して電流が多く流れることとなるので、輝度のバラつきが生じたり、このＬＥＤ直列回路を構成するＬＥＤの発熱量が多くなる。ＬＥＤの発熱量が一定量を超えると、ＬＥＤの発熱による照明器具、または照明器具の構成部材の熱融解や強度低下を引き起こしたり、ＬＥＤそのものの寿命が短くなることがある。これにより、ＬＥＤモジュールとしての安全性の低下や、短寿命化が問題となっていた。
【０００５】
また、第１のグループに属する複数のＬＥＤを並列接続した第１のＬＥＤ並列回路と、第２のグループに属する複数のＬＥＤを並列接続した第２のＬＥＤ並列回路とを直列接続した場合、電流集中は防止することができるが以下の問題がある。第１のグループに属するＬＥＤと第２のグループに属するＬＥＤとを交互に配置する場合、実装基板の表面に形成される導体のみでの引き回しができなくなり、ジャンパーや多層基板を用いる必要がある。さらに、ＬＥＤの両端に電圧を印加して電気特性・光学特性を検査する場合、複数のＬＥＤが並列接続されているため、並列接続されたＬＥＤの平均の特性または合計の特性しか得ることができず、ＬＥＤ単体での電気特性・光学特性の検査ができない。
【０００６】
本発明は、上記事由に鑑みてなされたものであり、その目的は、ＬＥＤモジュールを構成するＬＥＤの輝度バラつきを低減し、且つＬＥＤの異常な発熱を抑制して、安全性の低下および短寿命化を防止することができるＬＥＤモジュールおよび、これを用いた照明器具を提供することにある。
【課題を解決するための手段】
【０００７】
本発明のＬＥＤモジュールは、直列接続された複数のＬＥＤからなるＬＥＤ直列回路を複数有し、複数の前記ＬＥＤ直列回路が並列接続されたＬＥＤ並列回路を備えるＬＥＤモジュールであって、前記ＬＥＤの順方向電圧の範囲毎に、前記ＬＥＤを分類した複数のグループが形成され、前記ＬＥＤ直列回路は、前記複数のグループの各々から選択された１つの前記ＬＥＤが直列接続されることで構成されることを特徴とする。
【０００８】
このＬＥＤモジュールにおいて、並列接続された前記ＬＥＤ直列回路間において、前記ＬＥＤ直列回路の各々を構成する前記ＬＥＤの順方向電圧の合計値の差が、閾値以下であることが好ましい。
【０００９】
このＬＥＤモジュールにおいて、前記ＬＥＤ直列回路を構成する前記ＬＥＤが実装され、前記ＬＥＤ直列回路を構成する前記ＬＥＤ間を電気的に接続する導体を有する実装基板を備え、前記ＬＥＤは、一方向に対向するアノード端子とカソード端子とを有し、前記ＬＥＤ直列回路を構成する前記ＬＥＤは、前記一方向に対して直交する他方向に並んで実装され、前記ＬＥＤ直列回路を構成する前記ＬＥＤ間を電気的に接続する前記導体は、一方の前記ＬＥＤの前記アノード端子が実装される第１の実装部と、他方の前記ＬＥＤの前記カソード端子が実装される第２の実装部との各々が、前記導体における前記他方向の両端から離間した位置に形成されることが好ましい。
【００１０】
このＬＥＤモジュールにおいて、前記ＬＥＤ直列回路を構成する前記ＬＥＤが実装され、前記ＬＥＤ直列回路を構成する前記ＬＥＤ間を電気的に接続する導体を有する実装基板を備え、前記ＬＥＤは、一方向に対向するアノード端子とカソード端子とを有し、前記ＬＥＤ直列回路を構成する前記ＬＥＤは、前記一方向または前記一方向に直交する他方向に並んで実装され、前記ＬＥＤ直列回路を構成する前記ＬＥＤ間を電気的に接続する前記導体は、一方の前記ＬＥＤの前記アノード端子が実装される第１の実装部と、他方の前記ＬＥＤの前記カソード端子が実装される第２の実装部とが、前記ＬＥＤ直列回路を構成する前記ＬＥＤの実装方向において離間した位置に形成されることが好ましい。
【００１１】
本発明の照明器具は、直列接続された複数のＬＥＤからなるＬＥＤ直列回路を複数有し、複数の前記ＬＥＤ直列回路が並列接続されたＬＥＤ並列回路を備え、前記ＬＥＤの順方向電圧の範囲毎に、前記ＬＥＤを分類した複数のグループが形成され、前記ＬＥＤ直列回路は、前記複数のグループの各々から選択された１つの前記ＬＥＤが直列接続されることで構成されるＬＥＤモジュールと、前記ＬＥＤモジュールが取り付けられる器具本体とを備えることを特徴とする。
【発明の効果】
【００１２】
以上説明したように、本発明では、並列接続されたＬＥＤ直列回路の各々を構成するＬＥＤの順方向電圧の合計値の差を小さくすることで、特定のＬＥＤ直列回路に電流が集中することが防止されるので、ＬＥＤの発熱を抑制し、短寿命化を防止することができるという効果がある。
【図面の簡単な説明】
【００１３】
【図１】本発明の実施形態のＬＥＤモジュールの回路構成図である。
【図２】同上の外観図である。
【図３】色度座標図である。
【図４】ＬＥＤモジュールの別構成の回路構成図である。
【図５】ＬＥＤモジュールの別構成の概略図である。
【図６】実装基板の一部拡大図である。
【図７】照明器具の分解斜視図である。
【図８】ＬＥＤモジュールの別構成の外観図である。
【図９】ＬＥＤモジュールの別構成の回路構成図である。
【図１０】照明器具の別構成の分解斜視図である。
【図１１】（ａ）（ｂ）同上の一部拡大図である。
【図１２】ＬＥＤモジュールの別構成の概略図である。
【図１３】ＬＥＤモジュールの別構成の概略図である。
【図１４】ＬＥＤモジュールの別構成の概略図である。
【図１５】別構成の実装基板の一部拡大図である。
【発明を実施するための形態】
【００１４】
以下、本発明の実施の形態を図面に基づいて説明する。
【００１５】
（実施形態）
本実施形態のＬＥＤモジュール１の回路構成図を図１、ＬＥＤモジュール１の外観図を図２に示す。なお、図２における上下左右方向を、上下左右方向と規定して説明する。
【００１６】
本実施形態のＬＥＤモジュール１は、左右方向を長手方向とする実装基板２に３６個のＬＥＤ３と、６個のコンデンサ４と、１個のコネクタ５とが実装されることで構成され、照明器具の光源として用いられるものである。
【００１７】
まず、ＬＥＤモジュール１の回路構成について、図１を用いて説明する。
【００１８】
本実施形態のＬＥＤモジュール１は、図示しない点灯装置から直流電圧が印加されるコネクタ５の端子間に、６つのＬＥＤ並列回路３１が直列接続されることで構成されている。
【００１９】
ＬＥＤ並列回路３１の各々は、３つのＬＥＤ直列回路３２と１つのコンデンサ４とが並列接続されることで構成されている。ＬＥＤ直列回路３２は、２のＬＥＤ３が直列接続されることで構成されている。
【００２０】
ここで、本実施形態で用いられる複数のＬＥＤ３は、ＬＥＤ３の製造業者によって、電気特性（順方向電圧特性）・光学特性（色度特性・光束特性）の範囲毎に分類された第１のグループＧ１に属する複数のＬＥＤ３ａと、第２のグループＧ２に属する複数のＬＥＤ３ｂとで構成される。なお、ＬＥＤ３ａとＬＥＤ３ｂとを区別しない場合、ＬＥＤ３と称す。図３に示すように、第１のグループＧ１に属するＬＥＤ３ａの照射光の色度Ｃ１は、目標色度Ｃ０に対して相対的にｘ座標，ｙ座標の値が高い。一方、第２のグループＧ２に属するＬＥＤ３ｂの照射光の色度Ｃ２は、目標色度Ｃ０に対して相対的にｘ座標，ｙ座標の値が低い。そこで、本実施形態では、第１のグループＧ１に属するＬＥＤ３ａと、第２のグループＧ２に属するＬＥＤ３ｂとを１８個ずつ実装基板２に実装することで、ＬＥＤ３ａとＬＥＤ３ｂとの合成光の色度が目標色度Ｃ０となるように調整している。
【００２１】
そして、本実施形態では、第１グループＧ１に属する１つのＬＥＤ３ａと、第２のグループＧ２に属する１つのＬＥＤ３ｂとを直列接続することで、ＬＥＤ直列回路３２を構成している。ここで、第１のグループＧ１に属するＬＥＤ３ａにおける順方向電圧の範囲は、上限値Ｖ１ｍａｘ〜下限値Ｖ１ｍｉｎである。また、第２のグループＧ２に属するＬＥＤ３ｂにおける順方向電圧の範囲は、上限値Ｖ２ｍａｘ〜下限値Ｖ２ｍｉｎである。なお、各グループにおける順方向電圧の範囲の上限値と下限値との差は同じであり、上限値Ｖ１ｍａｘ−下限値Ｖ１ｍｉｎと、上限値Ｖ２ｍａｘ−下限値Ｖ２ｍｉｎとは同じ値である。そして、ＬＥＤ直列回路３２を構成するＬＥＤ３ａとＬＥＤ３ｂの各順方向電圧の合計値Ｓ１（以降、ＬＥＤ直列回路３２の合計値Ｓ１と略称する）は、上限値（Ｖ１ｍａｘ＋Ｖ２ｍａｘ）〜下限値（Ｖ１ｍｉｎ＋Ｖ２ｍｉｎ）の範囲内となる。すなわち、並列接続されたＬＥＤ直列回路３２間において、各ＬＥＤ直列回路３１の合計値Ｓ１の差の最大値（-＝（Ｖ１ｍａｘ＋Ｖ２ｍａｘ）−（Ｖ１ｍｉｎ＋Ｖ２ｍｉｎ））は、予め設定された閾値以下となる。
【００２２】
従来のように、第１のグループＧ１に属するＬＥＤ３ａのみからなるＬＥＤ直列回路と、第２のグループＧ２に属するＬＥＤ３ｂのみからなるＬＥＤ直列回路とを並列接続した場合、ＬＥＤ直列回路間における、ＬＥＤ直列回路の順方向電圧の合計値の差が大きかった。しかし、本実施形態のＬＥＤ直列回路３２は、ＬＥＤ３の順方向電圧の範囲毎に分類されたグループＧ１，Ｇ２の各々から選択した１つのＬＥＤ３ａ，３ｂで構成されている。そのため、ＬＥＤ直列回路３２間における、ＬＥＤ直列回路３２の合計値Ｓ１の差が、従来よりも小さくなる。これにより、ＬＥＤ並列回路３１を構成する３つのＬＥＤ直列回路３２内において、特定のＬＥＤ直列回路３２に電流が集中することが防止される。したがって、ＬＥＤ並列回路３１を構成するＬＥＤ直列回路３２間におけるＬＥＤ３の輝度バラつきが低減される。さらに、ＬＥＤ３の異常な発熱が抑制されるので、ＬＥＤ３の短寿命化を防止することができる。これにより、ＬＥＤモジュール１としての安全性が向上し、短寿命化も防止することができる。
【００２３】
さらに、上述したように、ＬＥＤ直列回路３２間における順方向電圧の合計値Ｓ１の差が閾値以下となる。したがって、ＬＥＤ３の実装後に各ＬＥＤ直列回路３２の合計値Ｓ１を測定して、ＬＥＤ直列回路３２間におけるＬＥＤ直列回路３２の合計値Ｓ１の差が小さくなるように調整する必要がなく、工数を削減することができる。また、ＬＥＤモジュール１を構成するＬＥＤ３を選択する場合に、ＬＥＤ３の光学特性のみに基づいて複数のグループから選択すればよく、ＬＥＤ３の電気特性を考慮する必要がない。
【００２４】
また、ＬＥＤ直列回路３２に並列接続されたコンデンサ４は、静電気によるＬＥＤ３の破損を防止する機能と、点灯装置が消灯制御したときにＬＥＤ３が微小点灯することを防止する機能とを有する。
【００２５】
また、ＬＥＤ直列回路３２において、ＬＥＤ３ａとＬＥＤ３ｂの接続順序が異なるものを混在させている。これは、実装基板２上において、ＬＥＤ３ａとＬＥＤ３ｂとが左右方向に交互に実装されていることを示している。これにより、ＬＥＤ３ａの照射光とＬＥＤ３ｂの照射光とが効率よく合成され、合成光の色むらを低減することができる。
【００２６】
なお、本実施形態では、第１のグループＧ１に属する複数のＬＥＤ３ａと、第２のグループＧ２に属する複数のＬＥＤ３ｂとで、ＬＥＤ直列回路３２を構成しているが、グループの数を２つに限定するものではない。例えば、図４に示すように、第１のグループＧ１に属する複数のＬＥＤ３ａと、第２のグループＧ２に属するＬＥＤ３ｂと、第３のグループに属するＬＥＤ３ｃとでＬＥＤ直列回路３２を構成してもよい。図４に示す例では、第１〜第３のグループＧ１〜Ｇ３の各々から選択した１つのＬＥＤ３ａ〜３ｃでＬＥＤ直列回路３２を構成し、３つのＬＥＤ直列回路３２と１つのコンデンサ４とを並列接続することでＬＥＤ並列回路３１を構成している。そして、このＬＥＤ並列回路３１を４つ直列に接続することで、ＬＥＤモジュール１を構成している。
【００２７】
次に、実装基板２の構成について、図５，図６を用いて説明する。図５に示すように、ＬＥＤ３ａとＬＥＤ３ｂとでＬＥＤ直列回路３２を構成している。ここで説明する例では、ＬＥＤ直列回路３２を４つ並列接続することでＬＥＤ並列回路３１を構成しており、複数のＬＥＤ並列回路３１が直列接続されている。
【００２８】
図６は、ＬＥＤモジュール１の一部を拡大した外観図である。図６に示すように、ＬＥＤ３ａ，３ｂの外観は矩形状に形成されており、アノード端子３３とカソード端子３４とが対向するように設けられている。そして、ＬＥＤ３ａ，３ｂは、アノード端子３３とカソード端子３４とが対向する方向が上下方向となり、かつＬＥＤ３ａとＬＥＤ３ｂとが左右方向に交互に実装されている。
【００２９】
実装基板２には、導電性を有する導体２０が形成されており、この導体２０に形成された実装部２１にＬＥＤ３のアノード端子３３およびカソード端子３４が半田付けされることで、ＬＥＤ３間が電気的に接続される。なお、導体２０において、実装部２１以外の部分は、絶縁体で覆われている。
【００３０】
また、図６における導体２０ａは、ＬＥＤ直列回路３２を構成するＬＥＤ３ａとＬＥＤ３ｂとの間を電気的に接続する導体２０である。導体２０ａは、左右方向を長手方向とする矩形状の第１の導電部２０１と、第１の導電部２０１の左端に連続して上方向に延設された矩形状の第２の導電部２０２とでＬ字状に形成されている。そして、第１の導電部２０１に、ＬＥＤ３ａのカソード端子３４が実装される第１の実装部２１ａと、ＬＥＤ３ｂのアノード端子３３が実装される第２の実装部２１ｂとが形成されている。第１の実装部２１ａは、第１の導電部２０１の左端から、第２の導電部２０２の左右方向の幅寸法分、右方向に離間した位置に形成されている。第２の実装部２１ｂは、第１の実装部２１ａから右方向に離間し、かつ第１の導電部２０１の右端から左方向に離間した位置に形成されている。
【００３１】
このように、導体２０ａは、ＬＥＤ３ａとＬＥＤ３ｂとを電気的に接続するために必要な、第１の実装部２１ａと第２の実装部２１ｂとの間のスペース以外のスペース（放熱部２０３）を有している。すなわち、導体２０ａは、ＬＥＤ３ａが実装される第１の実装部２１ａの左側および、ＬＥＤ３ｂが実装される第２の実装部２１ｂの右側に放熱部２０３が形成されている。そして、この放熱部２０３を用いて、ＬＥＤ３を放熱することができるので、ＬＥＤ３の放熱性を向上させることができる。
【００３２】
さらに、図５に示すように、実装基板２の表面に形成される導体２０のみで各ＬＥＤ３を電気的に接続することができ、ジャンパーや多層基板を用いる必要がない。さらに、本実施形態では、ＬＥＤ３ａ，３ｂが直列接続されることでＬＥＤ直列回路３２が構成され、このＬＥＤ直列回路３２が並列接続されることでＬＥＤ並列回路３１が構成されている。したがって、各ＬＥＤ３に対して個別に電圧を印加することができ、ＬＥＤ３単体の電気特性・光学特性の検査を行うことが出来る。
【００３３】
次に、上述したＬＥＤモジュール１を備えた照明器具Ａ１について、図７を用いて説明する。
【００３４】
本実施形態の照明器具Ａ１は、天井直付け型の照明器具であり、天井に取り付けられる器具本体１１と、器具本体１１に対して着脱自在に取り付けられる光源ユニット１２とを備える。
【００３５】
器具本体１１は、長尺且つ上面（天井との対向面）が開口する扁平な箱状に形成され、天井と反対側（つまり下側）には光源ユニット１２を収容するための矩形の収容凹部１１１が器具本体１１の全長に亘って設けられている。
【００３６】
光源ユニット１２は、上述したＬＥＤモジュール１と、取付部材１２１と、カバー部材１２３と、点灯装置１２４と、端子台ブロック１２５とを有する。取付部材１２１は、ＬＥＤモジュール１を構成する実装基板２が取り付けられる。カバー部材１２３は、光の拡散性を有する乳白色のアクリル樹脂で形成され、ＬＥＤモジュール１を覆うようにして取付部材１２１に取り付けられる。点灯装置１２４は、回路基板１２４ａと、この回路基板１２４ａを収納するケース１２４ｂとで構成され、図示しない電線を介して実装基板２上の各ＬＥＤ３に点灯電力を供給する。端子台ブロック１２５は、矩形箱状の端子台１２５ａと、この端子台１２５ａを取付部材１２１に取り付けるための取付金具１２５ｂとで構成される。そして、端子台１２５ａに、天井を通して室内側に露出する電源線（図示なし）が接続され、さらに点灯装置１２４との間を電気的に接続する電線（図示なし）が接続される。
【００３７】
そして、取付部材１２１の上側に点灯装置１２４，端子台ブロック１２５が取り付けられ、下側にＬＥＤモジュール１，カバー部材１２３が取り付けられる。ＬＥＤモジュール１，カバー部材１２３，点灯装置１２４，端子台１２５が取り付けられた取付部材１２１が、器具本体１１の収容凹部１１１に取り付けられることで、照明器具Ａ１が構成される。
【００３８】
本実施形態の照明器具Ａ１は、上述したＬＥＤモジュール１を備えている。したがって、ＬＥＤ並列回路３１を構成するＬＥＤ直列回路３２間において、特定のＬＥＤ直列回路３２に電流が集中することが防止されるので、ＬＥＤ３の発熱が抑制されて安全性が向上し、ＬＥＤ３の短寿命化も防止することができる。
【００３９】
また、上述したＬＥＤモジュール１は、左右方向を長手方向とする矩形板状の実装基板２に複数のＬＥＤ３が左右方向１列に並んで実装されることで構成されているが、実装基板２の形状およびＬＥＤ３の実装形態は、これに限定するものではない。図８に示すように、ＬＥＤモジュール１Ａは、略正方形の板状の実装基板２Ａに、複数のＬＥＤ３が千鳥状に実装されることで構成されてもよい。なお、図８に示す例では、複数のＬＥＤ３が千鳥状に実装されているが、縦横に並んで実装されていてもよい。
【００４０】
さらに、図９に示すように、ＬＥＤモジュール１Ａは、各ＬＥＤ３と並列にコンデンサ４が接続されている。これにより、静電気によるＬＥＤ３の破損を防止する効果を向上させることができる。
【００４１】
次に、このＬＥＤモジュール１Ａを用いた照明器具Ａ２について、図１０を用いて説明する。この照明器具Ａ２は、天井直付け型の照明器具であり、ＬＥＤモジュール１Ａを有する光源ユニット１３と、器具本体１４と、枠１５と、パネル１６と、点灯装置１７とで構成される。
【００４２】
器具本体１４は、矩形平板状の底板１４０と、この底板１４０の周縁から曲げ起された側板１４１とで構成される。底板１４０には、電線挿通孔１４２が形成されており、この電線挿通孔１４２を介して、図示しない電源線が電源端子台１４３に接続され、図示しない信号線が信号端子台１４４に接続される。そして、底板１４０が天井材にねじ止めされることで、器具本体１４が天井に固定される。
【００４３】
点灯装置１７は、交流の電圧・電流を直流の電圧・電流に変換する電力変換回路などが実装された基板（図示なし）がケース１７０に収納して構成される。
【００４４】
枠１５は、窓孔１５２が貫通した矩形の底壁１５０と、底壁１５０の周縁から上向きに立ち上がる側壁１５１とを有し、上面が開口された矩形箱状に形成される。この枠１５は、底板１４０に設けられる保持金具１４５を用いて、器具本体１４の下面側に着脱自在に取り付けられる。
【００４５】
パネル１６は、透光性を有し且つ拡散材が混入された合成樹脂（例えば、アクリル樹脂）によって矩形平板状に形成されている。そして、パネル１６は、枠１５の内側に収納され、窓孔１５２を閉塞する。
【００４６】
次に、光源ユニット１３について、図１１（ａ）（ｂ）を用いて説明する。光源ユニット１３は、上述したＬＥＤモジュール１Ａを４つと、反射シート１３１を４つと、光学ブロック１３２を４つと、反射体１３３とで構成される。反射体１３３は、矩形平板状の取付板１３３０と、取付板１３３０の周縁から曲げ起された４つの反射板１３３１とを有し、下面が開放された箱状に形成されている。また、反射体１３３１の１つに、上述した点灯装置１７が取り付けられる。
【００４７】
また、ＬＥＤモジュール１Ａの実装基板２Ａの下面には、ＬＥＤ３が実装された領域を除いた部位を覆う反射シート１３１と、光学ブロック１３２が設けられる。
【００４８】
反射シート１３１は、合成ゴムや合成樹脂などの絶縁材料からなるシート材の表面に反射率が相対的に高い物質からなる反射層が形成されてなる。反射シート１３１には、ＬＥＤ３を露出させる貫通孔１３１０が形成されている。すなわち、反射シート１３１が実装基板２Ａの下面に設けられることで、ＬＥＤ３の照射光が反射シート１３１によって下方へ反射される。
【００４９】
光学ブロック１３２は、ＬＥＤ３の照射光を拡散するレンズ１３２０と、これらのレンズ１３２０を結合する結合部材１３２１とが透光性を有する合成樹脂によって一体に形成される。そして、光学ブロック１３２は、実装基板２Ａおよび反射シート１３１とともにねじ１３４で取付板１３３０に取り付けられる。
【００５０】
そして、光源ユニット１３は、取付金具１８ａ，１８ｂ，１８ｃを用いて枠１５に取り付けられ、枠１５が器具本体１４に固定されることで照明器具Ａ２が構成される。
【００５１】
本実施形態の照明器具Ａ２は、上述したＬＥＤモジュール１Ａを備えている。したがって、ＬＥＤ並列回路３１を構成するＬＥＤ直列回路３２内において、特定のＬＥＤ直列回路３２に電流が集中することを防止することができるので、ＬＥＤ３の発熱が抑制されて安全性が向上し、ＬＥＤ３の短寿命化も防止することができる。
【００５２】
また、実装基板２の形状および、ＬＥＤ３の配置・配列は上記に限定するものではない。例えば、図１２，図１３に示すように、円形の実装基板２Ｂに、複数のＬＥＤ３を同心円状に２列配置することでＬＥＤモジュール１を構成してもよい。
【００５３】
図１２に示す例では、１つのＬＥＤ３ａと１つのＬＥＤ３ｂからなるＬＥＤ直列回路３２が４つ並列接続されることでＬＥＤ並列回路３１を構成しており、２つのＬＥＤ並列回路３１が直列接続されている。ＬＥＤ直列回路３２を構成するＬＥＤ３ａ，３ｂは、円形の実装基板２の中心を中心とした円の周方向に実装されている。そして、前段のＬＥＤ並列回路３１を構成するＬＥＤ３ａ，３ｂで内側の円を構成し、後段のＬＥＤ並列回路３１を構成するＬＥＤ３ａ，３ｂで外側の円を構成している。さらに、円の周方向および円の半径方向において、ＬＥＤ３ａとＬＥＤ３ｂが交互に実装されている。これにより、ＬＥＤ３ａの照射光とＬＥＤ３ｂの照射光とが効率よく合成され、合成光の色むらを低減することができる。
【００５４】
また、図１３に示す例では、１つのＬＥＤ３ａと１つのＬＥＤ３ｂからなるＬＥＤ直列回路３２が２つ並列接続されることでＬＥＤ並列回路３１を構成しており、４つのＬＥＤ並列回路３１が直列接続されている。ＬＥＤ直列回路３２を構成するＬＥＤ３ａ，３ｂは、円形の実装基板２の中心を中心とした円の半径方向に実装されている。そして４つのＬＥＤ並列回路３１は、円の周方向に実装されており、各ＬＥＤ直列回路３２における前段のＬＥＤ３で内側の円を構成し、後段のＬＥＤで外側の円を構成している。さらに、円の周方向および円の半径方向において、ＬＥＤ３ａとＬＥＤ３ｂが交互に実装されている。これにより、ＬＥＤ３ａの照射光とＬＥＤ３ｂの照射光とが効率よく合成され、合成光の色むらを低減することができる。
【００５５】
また、図５，図６に示した例では、ＬＥＤ３のアノード端子３３とカソード端子３４とが上下方向に対向し、ＬＥＤ３ａとＬＥＤ３ｂとが左右方向に交互に実装されているがこれに限定するものではない。図１４に示すように、ＬＥＤ３のアノード端子３３とカソード端子３４とが左右方向に対向し、かつＬＥＤ３ａとＬＥＤ３ｂとが左右方向に交互に実装された構成でもよい。
【００５６】
次に、図１２〜図１４のいずれかに示した例におけるＬＥＤモジュール１の一部拡大図を図１５に示す。図１５における導体２０ｂは、ＬＥＤ直列回路３２を構成するＬＥＤ３ａとＬＥＤ３ｂとの間を電気的に接続する導体２０である。ＬＥＤ３ａ，３ｂは、アノード端子３３とカソード端子３４とが対向する方向（図１４における左右方向）と、ＬＥＤ３ａ，３ｂの実装方向（図１４における左右方向）とが同一となるように実装されている。
【００５７】
導体２０ｂは、矩形状に形成されており、ＬＥＤ３ａのカソード端子３４が実装される第１の実装部２１ａと、ＬＥＤ３ｂのアノード端子３３が実装される第２の実装部２１ｂとが形成されている。第１の実装部２１ａは、導体２０ｂの上下方向の中心における左端に連続して形成され、第２の実装部２１ｂは、導体２０ｂの上下方向の中心における右端に連続して形成される。そして、第１の実装部２１ａと第２の実装部２１ｂとは、左右方向に離間している。さらに、導体２０ｂは、ＬＥＤ３ａとＬＥＤ３ｂとを電気的に接続するために必要な、第１の実装部２１ａと第２の実装部２１ｂとの間のスペース以外のスペース（放熱部２０３）を有している。すなわち、導体２０ｂは、第１の実装部２１ａおよび第２の実装部２１ｂの上側および下側に放熱部２０３が形成されている。
【００５８】
このように、導体２０ｂは、ＬＥＤ３ａとＬＥＤ３ｂとを電気的に接続する必要な面積より大きく形成されているので、ＬＥＤ３の放熱性を向上させることができる。
【符号の説明】
【００５９】
１  ＬＥＤモジュール
３（３ａ，３ｂ）  ＬＥＤ
３１  ＬＥＤ並列回路
３２  ＬＥＤ直列回路
４  コンデンサ
５  コネクタ
【図１】
2014182960.tif 000003
【図２】
2014182960.tif 000004
【図３】
2014182960.tif 000005
【図４】
2014182960.tif 000006
【図５】
2014182960.tif 000007
【図６】
2014182960.tif 000008
【図７】
2014182960.tif 000009
【図８】
2014182960.tif 000010
【図９】
2014182960.tif 000011
【図１０】
2014182960.tif 000012
【図１１】
2014182960.tif 000013
【図１２】
2014182960.tif 000014
【図１３】
2014182960.tif 000015
【図１４】
2014182960.tif 000016
【図１５】
2014182960.tif 000017